【手続補正書】
【提出日】平成16年1月8日(2004.1.8)
【手続補正１】
【補正対象書類名】明細書
【補正対象項目名】特許請求の範囲
【補正方法】変更
【補正の内容】
【特許請求の範囲】
【請求項１】
記録媒体の搬送路と、前記搬送路の上方に配置されトナー像が担持される像担持体と、前記搬送路の下方に配置され前記像担持体上のトナー像を記録媒体に転写させるための転写手段と、発熱体側が前記搬送路の上方に位置し記録媒体に転写されたトナー像を記録媒体に定着するための定着手段と、前記搬送路の略上方空間と略下方空間とを隔てる隔離部材と、を有する画像形成装置において、
前記隔離部材の転写手段の近傍には、前記転写手段の周囲を通り、前記下方空間から前記上方空間に向かう通風経路を形成するための通風口が形成され、装置本体内に生じる昇温した空気を装置に設けられている開口から機外に排出することを特徴とする画像形成装置。
【請求項２】
記録媒体の搬送路と、前記搬送路の上方に配置されトナー像が担持される像担持体と、前記像担持体上のトナー像を記録媒体に転写させるための転写手段と、前記搬送路の下方に配置され前記転写手段から前記定着手段へ記録媒体を案内する案内部材と、発熱体側が前記搬送路の上方に位置し記録媒体に転写されたトナー像を記録媒体に定着するための定着手段と、前記搬送路の略上方空間と略下方空間とを隔てる隔離部材と、を有する画像形成装置において、
前記案内部材の転写手段の近傍には、前記転写手段の周囲を通り、前記下方空間から前記上方空間に向かう通風経路を形成するための通風口が形成され、装置本体内に生じる昇温した空気を装置に設けられている開口から機外に排出することを特徴とする画像形成装置。
【請求項３】
記録媒体の搬送路と、前記搬送路の上方に配置されトナー像が担持される像担持体と、前記搬送路の下方に配置され前記像担持体上のトナー像を記録媒体に転写させるための転写手段と、発熱体側が前記搬送路の上方に位置し記録媒体に転写されたトナー像を記録媒体に定着するための定着手段と、前記搬送路の略上方空間と略下方空間とを隔てる隔離部材と、前記隔離部材の下方に配置された電装基板と、を有する画像形成装置において、
前記隔離部材の転写手段の近傍には、前記転写手段の周囲を通り、前記下方空間から前記上方空間に向かう通風経路を形成するための通風口が前記電装基板の上部に配置された放熱板に対向して形成されていて、前記放熱板は前記通風口からの落下物を受ける受け皿となるような形状に形成され、装置本体内に生じる昇温した空気を装置に設けられている開口から機外に排出することを特徴とする画像形成装置。
【請求項４】
記録媒体の搬送路と、前記搬送路の上方に配置されトナー像が担持される像担持体と、前記搬送路の下方に配置され前記像担持体上のトナー像を記録媒体に転写させるための転写手段と、発熱体側が前記搬送路の上方に位置し記録媒体に転写されたトナー像を記録媒体に定着するための定着手段と、前記搬送路の略上方空間と略下方空間とを隔てる隔離部材と、を有する画像形成装置において、
前記隔離部材の転写手段の近傍には、前記転写手段の周囲を通り、前記下方空間から前記上方空間に向かう通風経路を形成するためのダクト部材が設けられ、装置本体内に生じる昇温した空気を装置に設けられている開口から機外に排出することを特徴とする画像形成装置。
【請求項５】
前記転写手段の周囲を通り、前記下方空間から前記上方空間に向かう通風経路は、前記定着手段と画像形成プロセス手段との間に形成された通風路と連通していることを特徴とする請求項１ないし４のいずれか一つに記載の画像形成装置。
【請求項６】
前記搬送路の上流側には記録媒体を支持する第１の支持手段が設けられ、前記搬送路の下流側には画像形成後の記録媒体を支持する第２の支持手段が設けられていることを特徴とする請求項１ないし５のいずれか一つに記載の画像形成装置。
【請求項７】
前記第１の支持手段から前記搬送路を経て前記第２の支持手段に至る搬送経路は縦Ｕ字形状に形成されていることを特徴とする請求項６に記載の画像形成装置。
【請求項８】
前記隔離部材は、画像形成装置本体の構造部材としてのステー部材であることを特徴とする請求項１ないし７のいずれか一つに記載の画像形成装置。
【請求項９】
前記定着手段は、前記発熱体に耐熱フィルムを加圧ローラにより押圧して走行させ、前記耐熱フィルムと加圧ローラとの間で形成されるニップ部に前記記録媒体を挟持し、前記耐熱フィルムと共に走行させて定着させる構成であることを特徴とする請求項１ないし８のいずれか一つに記載の画像形成装置。
【請求項１０】
前記隔離部材の下方には電装部が設けられていることを特徴とする請求項１ないし９のいずれか一つに記載の画像形成装置。
【請求項１１】
前記像担持体を少なくとも有するプロセスカートリッジを画像形成装置に対して取り外し可能としたことを特徴とする請求項１ないし１０のいずれか一つに記載の画像形成装置。
【請求項１２】
前記像担持体への画像露光はレーザー光を用いたことを特徴とする請求項１ないし１１のいずれか一つに記載の画像形成装置。
【手続補正２】
【補正対象書類名】明細書
【補正対象項目名】００１１
【補正方法】変更
【補正の内容】
【００１１】
【課題を解決するための手段】
本出願に係る発明の目的を実現する第１の構成は、記録媒体の搬送路と、前記搬送路の上方に配置されトナー像が担持される像担持体と、前記搬送路の下方に配置され前記像担持体上のトナー像を記録媒体に転写させるための転写手段と、発熱体側が前記搬送路の上方に位置し記録媒体に転写されたトナー像を記録媒体に定着するための定着手段と、前記搬送路の略上方空間と略下方空間とを隔てる隔離部材と、を有する画像形成装置において、前記隔離部材の転写手段の近傍には、前記転写手段の周囲を通り、前記下方空間から前記上方空間に向かう通風経路を形成するための通風口が形成され、装置本体内に生じる昇温した空気を装置に設けられている開口から機外に排出することを特徴とする画像形成装置にある。


【手続補正３】
【補正対象書類名】明細書
【補正対象項目名】００１２
【補正方法】変更
【補正の内容】
【００１２】
本出願に係る発明の目的を実現する第２の構成は、記録媒体の搬送路と、前記搬送路の上方に配置されトナー像が担持される像担持体と、前記像担持体上のトナー像を記録媒体に転写させるための転写手段と、前記搬送路の下方に配置され前記転写手段から前記定着手段へ記録媒体を案内する案内部材と、発熱体側が前記搬送路の上方に位置し記録媒体に転写されたトナー像を記録媒体に定着するための定着手段と、前記搬送路の略上方空間と略下方空間とを隔てる隔離部材と、を有する画像形成装置において、前記案内部材の転写手段の近傍には、前記転写手段の周囲を通り、前記下方空間から前記上方空間に向かう通風経路を形成するための通風口が形成され、装置本体内に生じる昇温した空気を装置に設けられている開口から機外に排出することを特徴とする画像形成装置にある。


【手続補正４】
【補正対象書類名】明細書
【補正対象項目名】００１３
【補正方法】変更
【補正の内容】
【００１３】
本出願に係る発明の目的を実現する第３の構成は、記録媒体の搬送路と、前記搬送路の上方に配置されトナー像が担持される像担持体と、前記搬送路の下方に配置され前記像担持体上のトナー像を記録媒体に転写させるための転写手段と、発熱体側が前記搬送路の上方に位置し記録媒体に転写されたトナー像を記録媒体に定着するための定着手段と、前記搬送路の略上方空間と略下方空間とを隔てる隔離部材と、前記隔離部材の下方に配置された電装基板と、を有する画像形成装置において、前記隔離部材の転写手段の近傍には、前記転写手段の周囲を通り、前記下方空間から前記上方空間に向かう通風経路を形成するための通風口が前記電装基板の上部に配置された放熱板に対向して形成されていて、前記放熱板は前記通風口からの落下物を受ける受け皿となるような形状に形成され、装置本体内に生じる昇温した空気を装置に設けられている開口から機外に排出することを特徴とする画像形成装置にある。


【手続補正５】
【補正対象書類名】明細書
【補正対象項目名】００１４
【補正方法】変更
【補正の内容】
【００１４】
本出願に係る発明の目的を実現する第４の構成は、記録媒体の搬送路と、前記搬送路の上方に配置されトナー像が担持される像担持体と、前記搬送路の下方に配置され前記像担持体上のトナー像を記録媒体に転写させるための転写手段と、発熱体側が前記搬送路の上方に位置し記録媒体に転写されたトナー像を記録媒体に定着するための定着手段と、前記搬送路の略上方空間と略下方空間とを隔てる隔離部材と、を有する画像形成装置において、前記隔離部材の転写手段の近傍には、前記転写手段の周囲を通り、前記下方空間から前記上方空間に向かう通風経路を形成するためのダクト部材が設けられ、装置本体内に生じる昇温した空気を装置に設けられている開口から機外に排出することを特徴とする画像形成装置にある。